(57)【要約】【課題】クラッチの断接を行う際に、アンビルとレリーズフォークとの接触部で滑りが生じる事を抑制できるクラッチレリーズ軸受装置の構造を実現する。【解決手段】案内軸２に外嵌される軸受保持部材３を合成樹脂製とする。軸受保持部材３を構成するフランジ部９の軸方向片側にレリーズ軸受４を保持すると共に、フランジ部９の軸方向他側に金属製のアンビル５を保持する。特に、アンビル５は、フランジ部９の軸方向他側面に対し、レリーズフォークの先端部からアンビル５の軸方向他側面に加わるラジアル荷重と同方向の摺動を可能に接触させた状態で、軸受保持部材３に保持する。【選択図】図４
2017155813.tif 000002
【特許請求の範囲】
【請求項１】
案内軸に対し、軸方向の移動を可能に外嵌されるスリーブと、前記スリーブの外周面から径方向外方に突出する状態で設けられたフランジ部とを有する合成樹脂製の軸受保持部材と、
前記フランジ部の軸方向片側に配置された状態で、前記軸受保持部材に保持されたレリーズ軸受と、
前記フランジ部の軸方向他側に配置された状態で、前記軸受保持部材に保持され、軸方向他側面に、所定の揺動中心軸を中心として揺動するレリーズフォークの先端部を接触させる金属製のアンビルとを備え、
前記アンビルは、前記フランジ部の軸方向他側面に対し、前記レリーズフォークの先端部から前記アンビルの軸方向他側面に加わるラジアル荷重と同方向の摺動を可能に接触した状態で、前記軸受保持部材に保持されている
クラッチレリーズ軸受装置。
【請求項２】
前記フランジ部の軸方向他側面に対する前記アンビルの、前記ラジアル荷重と同方向に関する摺動可能量が、前記クラッチの断接を行う際に、前記レリーズフォークが前記揺動中心軸を中心として揺動する事に伴って生じる、前記レリーズフォークの先端部のうち前記アンビルの軸方向他側面と接触する部分の、前記ラジアル方向と同方向に関する変位量以上の大きさになっている
請求項１に記載したクラッチレリーズ軸受装置。
【請求項３】
前記アンビルの軸方向他側面のうち、前記レリーズフォークの先端部を接触させる部分が、前記レリーズフォークの揺動中心軸と平行な軸を中心とする部分円筒状凹面になっている
請求項１〜２のうちの何れか１項に記載したクラッチレリーズ軸受装置。
【発明の詳細な説明】
【技術分野】
【０００１】
本発明は、自動車用手動変速機のクラッチ機構に組み込まれ、変速操作を行う際に、ダイヤフラムばねを押圧する又は引っ張る為に利用する、クラッチレリーズ軸受装置に関する。
【背景技術】
【０００２】
手動変速機に付属のクラッチ機構には、クラッチを切る場合（クランクシャフトの回転力が変速機に伝達されない様にする場合）にダイヤフラムばねの中央部を押圧するプッシュタイプのものと、クラッチを切る場合にダイヤフラムばねの中央部を引っ張るプルタイプのものとがある。何れのクラッチ機構の場合も、クラッチを切る場合には、クラッチペダルの踏み込みに伴って揺動するレリーズフォークにより、クラッチレリーズ軸受装置を軸方向に変位させる。そして、クラッチレリーズ軸受装置を構成するレリーズ軸受の何れか一方の軌道輪により、ダイヤフラムばねの中央部を、直接又は他の部材を介して軸方向に押圧する又は引っ張る。この状態で、レリーズ軸受を構成する、一方の軌道輪と他方の軌道輪とが相対回転する事に基づき、ダイヤフラムばねの回転に拘らず、ダイヤフラムばねとの接触部に滑りが生じる事を防止される。
【０００３】
又、特許文献１には、プッシュタイプのクラッチ機構に組み込まれるクラッチレリーズ軸受装置の従来構造の１例として、ダイヤフラムばねの軸方向に配設された案内軸に対し、軸方向の移動を可能に外嵌される合成樹脂製の軸受保持部材と、軸受保持部材のうち、軸方向に関してダイヤフラムばね側に保持されたレリーズ軸受と、軸受保持部材のうち、軸方向に関してダイヤフラムばねと反対側に保持された金属製のアンビル（補強部材）とを備え、クラッチを切る際には、アンビルのうち、軸方向に関してダイヤフラムばねと反対側の側面をレリーズフォークの先端面により押圧する事によって、クラッチレリーズ軸受装置をダイヤフラムばね側に移動させる構造が記載されている。
【０００４】
この様な従来構造の場合には、軸受保持部材を合成樹脂製としている為、軽量化を図れると共に、レリーズフォークの先端面を当接させる部分を金属製のアンビルとしている為、剛性及び耐久性を確保し易いが、次の面から改良の余地がある。
即ち、クラッチの断接を行う際に、レリーズフォークは、軸受保持部材の軸方向に対して直交する方向の揺動中心軸を中心として揺動する。この為、クラッチの断接を行う際に、レリーズフォークの先端面の軌跡は、当該揺動中心軸を中心とする円弧状となる。従って、クラッチの断接を行う際に、レリーズフォークの先端面とアンビルの側面との接触部には、径方向の滑りが生じる。この結果、当該滑りが生じた部分で異音が発生する等の不都合を生じる可能性がある。
【先行技術文献】
【特許文献】
【０００５】
【特許文献１】特開平９−１３７８３７号公報
【発明の概要】
【発明が解決しようとする課題】
【０００６】
本発明は、上述の様な事情に鑑みて、クラッチの断接を行う際に、アンビルとレリーズフォークとの接触部で滑りが生じる事を抑制できるクラッチレリーズ軸受装置の構造を実現すべく発明したものである。
【課題を解決するための手段】
【０００７】
本発明のクラッチレリーズ軸受装置は、軸受保持部材と、レリーズ軸受と、アンビルとを備える。
このうちの軸受保持部材は、合成樹脂製であり、案内軸に対し、軸方向の移動を可能に外嵌されるスリーブと、前記スリーブの外周面から径方向外方に突出する状態で設けられたフランジ部とを有する。
又、前記レリーズ軸受は、前記フランジ部の軸方向片側に配置された状態で、前記軸受保持部材に保持されている。この様なレリーズ軸受は、クラッチを切る際にダイヤフラムばねの中央部に軸方向の力を付与しつつ（ダイヤフラムばねの中央部を直接又は他の部材を介して軸方向に押圧しつつ、又は、引っ張りつつ）、前記ダイヤフラムばねと共に回転する回転輪を備える。
又、前記アンビルは、金属製であり、前記フランジ部の軸方向他側に配置された状態で、前記軸受保持部材に保持され、軸方向他側面に、所定の揺動中心軸を中心として揺動するレリーズフォークの先端部（先端面）を接触させる。
又、前記アンビルは、前記フランジ部の軸方向他側面に対し、前記レリーズフォークの先端部から前記アンビルの軸方向他側面に加わるラジアル荷重と同方向の摺動を可能に接触した状態で、前記軸受保持部材に保持されている。
【０００８】
本発明を実施する場合には、例えば、前記フランジ部に対する前記レリーズ軸受の軸方向片側への変位を規制すると共に、前記フランジ部に対する前記アンビルの軸方向他側への変位を規制する、軸方向変位規制手段を設ける事ができる。
この様な軸方向変位規制手段として、例えば、１対の挟持部を備え、前記１対の挟持部により、前記フランジ部と前記レリーズ軸受と前記アンビルとの円周方向一部分を軸方向両側から挟み込む、抑えばねを採用する事ができる。
【０００９】
本発明を実施する場合には、例えば請求項２に記載した発明の様に、前記フランジ部の軸方向他側面に対する前記アンビルの、前記ラジアル荷重と同方向に関する摺動可能量を、前記クラッチの断接を行う際に、前記レリーズフォークが前記揺動中心軸を中心として揺動する事に伴って生じる、前記レリーズフォークの先端部のうち前記アンビルの軸方向他側面と接触する部分の、前記ラジアル方向と同方向に関する変位量以上の大きさとする事ができる。
【００１０】
本発明を実施する場合には、例えば請求項３に記載した発明の様に、前記アンビルの軸方向他側面のうち、前記レリーズフォークの先端部（一般的には、前記レリーズフォークの揺動中心軸と平行な軸を中心とする部分円筒状凸面）を接触させる部分（フォーク当接面）を、前記レリーズフォークの揺動中心軸と平行な軸を中心とする部分円筒状凹面とする事ができる。
尚、前記アンビルの軸方向他側面のうち、前記レリーズフォークの先端部を接触させる部分と、前記レリーズフォークの先端部との凹凸関係は、互いに逆にする事もできる。
この場合には、追加的に、前記レリーズフォークの揺動に拘わらず、前記レリーズフォークの先端面と前記フォーク当接面との接触状態を保持する為の接触状態保持手段を設ける事ができる。
この様な接触状態保持手段としては、例えば、前記フランジ部と前記アンビルとのうちの少なくとも一方と前記レリーズフォークとの間に掛け渡された状態で、自身の弾力により、前記レリーズフォークの揺動に拘わらず、前記レリーズフォークの先端面と前記フォーク当接面との接触状態を保持する、線ばね等のばね部材を採用する事ができる。
【発明の効果】
【００１１】
上述の様な構成を有する本発明のクラッチレリーズ軸受装置によれば、クラッチの断接を行う際に、アンビルとレリーズフォークとの接触部で滑りが生じる事を抑制できる。
即ち、本発明の場合、前記アンビルは、前記フランジ部の軸方向他側面に対し、前記レリーズフォークの先端面から前記アンビルの軸方向他側面に加わるラジアル荷重と同方向の摺動を可能に接触した状態で、前記軸受保持部材に保持されている。
この為、前記クラッチの断接を行う際に、前記レリーズフォークの先端面から前記アンビルの軸方向他側面にラジアル荷重が加わった場合には、前記アンビルを前記フランジ部の軸方向他側面に対して前記ラジアル荷重と同方向に摺動させる事により、前記アンビルの軸方向他側面と前記レリーズフォークの先端面との接触部で滑りが生じる事を抑制できる。
【図面の簡単な説明】
【００１２】
【図１】本発明の実施の形態の第１例に関する、クラッチレリーズ軸受装置の軸方向他側から見た図（Ａ）、（Ａ）の右方から見た図（Ｂ）、及び（Ａ）の下方から見た図（Ｃ）。
【図２】同じく、クリップ（線ばね）を省略した状態で示す、図１の（Ａ）と同様の図。
【図３】同じく、抑えばね（板ばね）を省略した状態で示す、図２の左方から見た図。
【図４】同じく、図２のＡ−Ａ断面図。
【図５】同じく、図２のＢ−Ｂ断面図。
【図６】同じく、図２のＣ−Ｃ断面図。
【図７】同じく、クラッチレリーズ軸受装置をレリーズフォークの先端面により押圧する前の状態（Ａ）及び押圧した後の状態（Ｂ）で示す、図３と同様の図。
【図８】同じく、クラッチレリーズ軸受装置をレリーズフォークの先端面により押圧する前の状態（Ａ）及び押圧した後の状態（Ｂ）で示す、図２と同様の図。
【図９】同じく、軸受保持部材の軸方向他側から見た図。
【図１０】同じく、図２の拡大Ｄ−Ｄ断面図。
【図１１】本発明の実施の形態の第２例を示す、軸受保持部材の軸方向他側から見た図。
【発明を実施するための形態】
【００１３】
［実施の形態の第１例］
本発明の実施の形態の第１例に就いて、図１〜１０により説明する。
本例のクラッチレリーズ軸受装置は、レリーズフォーク１（図２、図７参照）と共に、プッシュタイプのクラッチ機構に組み込まれるもので、ダイヤフラムばねの軸方向に配設された案内軸２（図４参照）に対し、軸方向の移動を可能に外嵌支持されるものである。
この様な本例のクラッチレリーズ軸受装置は、軸受保持部材３と、レリーズ軸受４と、アンビル５と、軸方向変位規制手段である１対の抑えばね６、６と、接触状態保持手段であるクリップ７とを備える。
【００１４】
尚、本例に関する説明中、「軸方向」、「径方向」、「円周方向」は、特に断る場合を除き、前記軸受保持部材３に関する、「軸方向」、「径方向」、「円周方向」を言う。
又、本明細書及び特許請求の範囲の全体に於いて、軸方向に関して「片側」とは、使用状態で前記ダイヤフラムばねが位置する側である、図１の（Ａ）、図２、図８に於ける紙面奥側、及び、図３〜７に於ける左側を言い、反対に、軸方向に関して「他側」とは、使用状態で前記ダイヤフラムばねが位置する側と反対側である、図１の（Ａ）、図２、図８に於ける紙面手前側、及び、図３〜７に於ける右側を言う。
更に、本例に関する説明中、「上下方向」及び「左右方向」は、図１の（Ａ）、図２、図８、図９に於ける「上下方向」及び「左右方向」を言う。但し、図１の（Ａ）、図２、図８、図９の「上下方向」及び「左右方向」は、必ずしも自動車の「上下方向」及び「左右方向」と一致するとは限らない。
【００１５】
前記軸受保持部材３は、合成樹脂製で、円筒状のスリーブ８と、前記スリーブ８の外周面の軸方向中間部から径方向外方に突出する状態で設けられた円輪状のフランジ部９とを備える。
このうちのスリーブ８は、使用状態で前記案内軸２に対し、軸方向の移動を可能に外嵌される。
前記フランジ部９の軸方向片側面の径方向内端部乃至中間部には、軸方向他側に凹入する保持凹部１０が全周に亙り設けられている。
【００１６】
前記フランジ部９の軸方向他側面の径方向外端部のうち、径方向反対側となる２箇所位置である、上下方向両端部には、１対の第一凸部１１、１１が、軸方向他側に突出する状態で設けられている。前記第一凸部１１の左右方向（円周方向）両側面は、それぞれ左右方向に直交する平面状の案内面となっている。
前記フランジ部９の軸方向他側面の径方向外端部のうち、円周方向に関する配置の位相が前記１対の第一凸部１１、１１に対して中心角で４５゜ずれた径方向反対側となる２箇所位置には、１対の第二凸部１２、１２が、軸方向他側に突出する状態で設けられている。
図９に示す様に、前記第二凸部１２の軸方向から見た形状は、Ｌ字形である。前記フランジ部９の軸方向他側面のうち、前記第二凸部１２の径方向外半部の円周方向片側（前記第二凸部１２の円周方向片端部の径方向外側）に隣接する部分には、矩形の逃げ凹部１３が、軸方向片側に凹入する状態で設けられている。
前記第二凸部１２の軸方向他側面のうち、径方向中央部の円周方向中央部には第一係止突起１４が、径方向内端寄り部分の円周方向両端部には１対の第二係止突起１５、１５が、それぞれ突設されている。
【００１７】
前記フランジ部９の外周面のうち、円周方向に関する配置の位相が前記１対の第二凸部１２、１２と一致する径方向反対側となる２箇所位置の軸方向中間部には、１対の耳部１６、１６が、径方向外方に突出する状態で設けられている。
前記フランジ部９の外周面のうち、円周方向に関する配置の位相が前記１対の第一凸部１１、１１に対して中心角で９０゜ずれた径方向反対側となる２箇所位置である、左右方向両端部には、１対の張出部１７、１７が、径方向外側に張り出す状態で設けられている。前記張出部１７の軸方向片側面は、前記クラッチ機構を構成する他の部材との干渉を避ける為に、径方向外側に向かう程軸方向他側に向かう方向に傾斜した傾斜面１８になっている。前記張出部１７の径方向外側面の軸方向他端部には、径方向内側に凹入する凹入部１９が設けられている。
【００１８】
前記レリーズ軸受４は、前記フランジ部９の軸方向片側に隣接して配置されたもので、内周面に深溝型の外輪軌道を有する外輪２０と、外周面にアンギュラ型の内輪軌道を有する、回転輪である内輪２１と、これら外輪軌道と内輪軌道との間に保持器により保持された状態で転動自在に設けられた複数個の玉２２、２２とを備えた、玉軸受である。この様に、図示の例では、前記外輪軌道として深溝型のものを、前記内輪軌道としてアンギュラ型のものを、それぞれ使用している。この為、前記レリーズ軸受４は、ラジアル荷重の他、スラスト荷重（前記内輪２１に加わる図３〜７の右向きのスラスト荷重）を支承可能である。又、前記内輪２１の軸方向片端部は、前記外輪２０の軸方向片端部よりも軸方向片側に突出しており、前記ダイヤフラムばねの中央部を押圧する為の押圧部２３となっている。又、前記外輪２０の内周面と前記内輪２１の外周面との間に挟まれた軸受内部空間の軸方向両端開口は、それぞれ接触型のシールリングにより塞がれている。この様なレリーズ軸受４は、前記フランジ部９の軸方向片側に配置された状態で、軸方向他端部を、前記フランジ部９の軸方向片側面に設けられた保持凹部１０内に、若干の径方向変位を可能に進入させている。
【００１９】
前記アンビル５は、前記フランジ部９の軸方向他側に隣接して配置されたもので、鋼板等の金属板製であり、円輪状の側板部２４と、前記側板部２４の径方向内端部から軸方向他側に延出する状態で設けられた筒状部２５とを備える。
前記側板部２４の径方向外端部のうち、円周方向に関して前記フランジ部９の軸方向他側面に設けられた１対の第一凸部１１、１１と同位相の２箇所位置である、上下方向両端部には、１対の第一切り欠き２６、２６が、それぞれ前記側板部２４の外周縁に開口する状態で設けられている。前記第一切り欠き２６、２６の内周縁（内周面）のうち、左右方向両端部は、それぞれ左右方向に直交する平面状の案内面になっている。
前記側板部２４の径方向外端部のうち、円周方向に関して前記フランジ部９の軸方向他側面に設けられた１対の第二凸部１２、１２と同位相の２箇所位置には、１対の第二切り欠き２７、２７が、それぞれ前記側板部２４の外周縁に開口する状態で設けられている。
前記第二切り欠き２７の内周縁のうち、円周方向片端部の径方向外端部には、係止片２８の基端部が一体に連結されている。図１０に示す様に、前記係止片２８は、前記側板部２４のうち、前記第二切り欠き２７、２７の周囲部分と同じ板厚を有すると共に、この周囲部分に対して、当該板厚の半分程度の大きさだけ軸方向片側（図１０に於ける下側）にオフセットしている。
【００２０】
前記側板部２４のうち、円周方向に関する配置の位相が前記１対の第一切り欠き２６、２６に対して中心角で９０゜ずれた径方向反対側となる２箇所位置である、左右方向両端部には、１対の曲板部２９、２９が設けられている。前記１対の曲板部２９、２９はそれぞれ、前記レリーズフォーク１の揺動中心軸Ｘ（図２及び図７参照）と平行な、共通の左右方向軸を中心とする部分円筒状である。そして、これら１対の曲板部２９、２９の軸方向他側面（部分円筒状の凹面）を、それぞれ前記レリーズフォーク１を構成する二股の腕部３０、３０の先端面３１、３１を当接させる為のフォーク当接面３２、３２としている。本例の場合、前記二股の腕部３０、３０の先端面３１、３１はそれぞれ、前記揺動中心軸Ｘに対して平行な、共通の左右方向軸を中心とする部分円筒状の凸面となっている。又、本例の場合、これら両腕部３０、３０の先端面３１、３１の曲率半径は、前記１対のフォーク当接面３２、３２の曲率半径と同じか、又は、前記１対のフォーク当接面３２、３２の曲率半径よりも僅かに小さくなっている。
前記筒状部２５は、軸方向から見た形状（断面形状）がビヤ樽型であり、左右方向両端部に位置する部分が、それぞれ左右方向に対して直交する、互いに平行な１対の平板部３３になっている。
【００２１】
この様なアンビル５は、前記フランジ部９の軸方向他側に配置された状態で、前記筒状部２５を、前記スリーブ８のうち前記フランジ部９よりも軸方向他側に位置する部分に外嵌すると共に、前記側板部２４の軸方向片側面を、前記フランジ部９の軸方向他側面に（直接）接触させている。又、この状態で、前記１対の第一切り欠き２６、２６の内側に前記１対の第一凸部１１、１１を、前記１対の第二切り欠き２７、２７の内側に前記１対の第二凸部１２、１２を、それぞれ進入（係合）させている。これと共に、前記１対の第二凸部１２、１２に隣接して設けられた逃げ凹部１３、１３内に、前記１対の第二切り欠き２７、２７の内周縁に設けられた係止片２８、２８の軸方向片半部を、それぞれ進入させる事により、これら両係止片２８、２８の軸方向他側面が、前記１対の第二凸部１２、１２の軸方向他側面と面一に配置されるか、又は、前記１対の第二凸部１２、１２の軸方向他側面よりも僅かに軸方向片側に配置される様にしている。
【００２２】
そして、この状態で、前記軸受保持部材３と前記アンビル５との上下方向（前記レリーズフォーク１の二股の腕部３０、３０の先端面３１、３１から、前記アンビル５の側板部２４の軸方向他側面に設けられた１対のフォーク当接部に加わるラジアル荷重と同方向）に関する所定量の相対変位を可能としている。この為に、前記軸受保持部材３と前記アンビル５とを互いに同軸に配置した状態で、前記アンビル５の筒状部２５の内周面と、前記スリーブ８のうち前記フランジ部９よりも軸方向他側に位置する部分の外周面との間に、前記軸受保持部材３と前記アンビル５との上下方向に関する所定量の相対変位を可能とする為の隙間３４を設けている。これと共に、前記アンビル５の筒状部２５を構成する１対の平板部３３の内側面を、前記スリーブ８のうち前記フランジ部９よりも軸方向他側に位置する部分の外周面に対し、上下方向に関する摺動を可能に接触（係合）させている。又、前記軸受保持部材３と前記アンビル５とを互いに同軸に配置した状態で、前記１対の第一凸部１１、１１の径方向内側面と、前記１対の第一切り欠き２６、２６の内周縁のうちの径方向内端部との間に、それぞれ前記軸受保持部材３と前記アンビル５との上下方向に関する所定量の相対変位を可能とする為の隙間３５、３５を設けている。これと共に、前記１対の第一切り欠き２６、２６の内周縁（内周面）の左右方向両端部を、前記１対の第一凸部１１、１１の左右方向両側面に対し、上下方向に関する摺動を可能に接触（係合）させている。又、前記軸受保持部材３と前記アンビル５とを互いに同軸に配置した状態で、前記１対の第二凸部１２、１２の外周縁と前記１対の第二切り欠き２７、２７の内周縁との間に、それぞれ前記軸受保持部材３と前記アンビル５との上下方向に関する所定量の相対変位を可能とする為の隙間３６、３６を設けている。又、前記軸受保持部材３と前記アンビル５とを互いに同軸に配置した状態で、前記両逃げ凹部１３、１３の内周縁と前記両係止片２８、２８の外周縁との間に、それぞれ前記軸受保持部材３と前記アンビル５との上下方向に関する所定量の相対変位を可能とする為の隙間３７、３７を設けている。尚、本例の場合、以上に述べた隙間３４〜３７の大きさを規制する事により、前記軸受保持部材３と前記アンビル５との上下方向に関する相対変位の可能量（前記フランジ部９の軸方向他側面に対する前記アンビル５の上下方向の摺動可能量）が、前記クラッチの断接を行う際に、前記レリーズフォーク１が前記揺動中心軸を中心として揺動する事に伴って生じる、前記レリーズフォーク１の二股の腕部３０、３０の先端面３１、３１と接触する部分の、上下方向に関する変位量δ（図７参照）以上の大きさに設定されている。
【００２３】
前記１対の抑えばね６、６（図１、図２、図５、図８参照。図３、図７には図示省略）は、前記フランジ部９のうち、円周方向に関して前記１対の第二凸部１２、１２（前記１対の耳部１６、１６）と同位相となる径方向反対側となる２箇所位置に組み付けられている。前記１対の抑えばね６、６はそれぞれ、全体を略Ｕ字形に造られた金属製の板ばねであり、軸方向に離隔して配置された、それぞれが矩形板状である１対の抑え部３８ａ、３８ｂと、前記１対の抑え部３８ａ、３８ｂの径方向外端部同士を連結するクランク板状である連結部３９とを備える。前記１対の抑え部３８ａ、３８ｂのうちの軸方向他側の抑え板部３８ｂは、略中央部に前記第一係止突起１４を係止可能な係止孔４０を備えると共に、円周方向両側縁の径方向内端寄り部分に前記１対の第二係止突起１５、１５を係止可能な係止切り欠き４１、４１を備えている。
【００２４】
この様な１対の抑えばね６、６はそれぞれ、前記フランジ部９のうち、円周方向に関して前記１対の第二凸部１２、１２（前記１対の耳部１６、１６）と同位相となる径方向反対側となる２箇所位置に組み付けられた状態で、前記連結部３９の軸方向中間部により前記フランジ部９の外周面に設けられた耳部１６を径方向外側及び軸方向両側から抱持する事によって、軸方向及び径方向の位置決めを図られている。又、この状態で、前記１対の抑え部３８ａ、３８ｂのうちの軸方向片側の抑え部３８ａの軸方向他側面を、前記レリーズ軸受４を構成する外輪２０の軸方向片端面に弾性的に接触させる事により、前記軸受保持部材３に対する前記レリーズ軸受４の径方向の変位を許容しつつ、前記フランジ部９に対する前記レリーズ軸受４の軸方向片側への変位を規制している（前記軸受保持部材３に対して前記レリーズ軸受４を保持している）。これと共に、前記軸方向他側の抑え部３８ｂの軸方向片側面を、前記第二凸部１２の軸方向他側面及び前記アンビル５の係止片２８の軸方向他側面に弾性的に接触させる事により、前記軸受保持部材３に対する前記アンビル５の上下方向に関する変位を許容しつつ、前記フランジ部９に対する前記アンビル５の軸方向他側への変位を規制している（前記軸受保持部材３に対して前記アンビル５を保持している）。更に、この状態で、軸方向他側の抑え部３８ｂに設けられた係止孔４０及び１対の係止切り欠き４１、４１のうち、係止孔４０に前記第一係止突起１４を、１対の係止切り欠き４１、４１に前記１対の第二係止突起１５、１５を、それぞれ係止する事により、前記フランジ部９に対する前記抑えばね６、６の円周方向の変位防止と径方向外側への変位（脱落）防止とを図っている。
【００２５】
前記クリップ７（図１参照）は、前記アンビル５と前記レリーズフォーク１の二股の腕部３０、３０の先端部との間に掛け渡された状態で、自身の弾力により、前記レリーズフォーク１の揺動に拘わらず、前記レリーズフォーク１の二股の腕部３０、３０の先端面３１、３１と、前記アンビル５を構成する側板部２４の軸方向他側面に設けられた１対のフォーク当接面３２、３２との接触状態を保持する、金属製の線ばねである。本例の場合、この様なクリップ７は、１本の弾性を有する金属製の線材を曲げ形成する事により造られたもので、当該線材の中間部により形成された第一直線状係合部４２と、当該線材の両端寄り部分により形成された１対の第二直線状係合部４３、４３と、当該線材の両端部により形成された第三直線状係合部４４、４４とを備える。そして、使用状態で、このうちの第一直線状係合部４２を左右方向に配設すると共に、前記第一直線状係合部４２の中間部を、前記アンビル５を構成する側板部２４の軸方向他側面の下端寄り部分に弾性的に接触（係合）させている。又、前記１対の第二直線状係合部４３、４３をそれぞれ、上下方向に配設すると共に、前記１対の第二直線状係合部４３、４３の中間部を、前記フランジ部９の外周面に設けられた１対の張出部１７、１７の凹入部１９内に配置した状態で、前記アンビル５を構成する側板部２４の軸方向片側面の左右方向両端縁部（前記１対の曲板部２９、２９の径方向外端部及びその周辺部に対応する部分）に弾性的に接触（係合）させている。又、前記１対の第三直線状係合部４４、４４をそれぞれ、左右方向に配設すると共に、前記レリーズフォーク１の二股の腕部３０、３０の先端部の背面（軸方向他側面）に弾性的に接触（係合）させている（図７参照）。
【００２６】
上述の様な構成を有する本例のクラッチレリーズ軸受装置によれば、クラッチの断接を行う際に、前記アンビル５と前記レリーズフォーク１との接触部で滑りが生じる事を抑制できる。
即ち、本例の場合、前記アンビル５は、前記側板部２４の軸方向片側面を、前記フランジ部９の軸方向他側面に対し、前記レリーズフォーク１の二股の腕部３０、３０の先端面３１、３１から前記側板部２４の軸方向他側面に設けられた１対のフォーク当接面３２、３２に加わるラジアル荷重と同方向（上下方向）の摺動を可能に接触させた状態で、前記軸受保持部材３に保持されている。この為、前記クラッチの断接を行う際に、前記レリーズフォーク１の二股の腕部３０、３０の先端面３１、３１から前記１対のフォーク当接面３２、３２にラジアル荷重（上下方向荷重、径方向荷重）が加わった場合には、前記アンビル５の側板部２４の軸方向片側面を、前記フランジ部９の軸方向他側面に対して上下方向に摺動させる（前記アンビル５を前記フランジ部９に対して上下方向に変位させる）事により、前記１対のフォーク当接面３２、３２と前記レリーズフォーク１の二股の腕部３０、３０の先端面３１、３１との接触部で滑りが生じる事を抑制できる。特に、本例の場合には、前記フランジ部９の軸方向他側面に対する前記アンビル５の上下方向の摺動可能量を、前記クラッチの断接を行う際に、前記レリーズフォーク１が前記揺動中心軸を中心として揺動する事に伴って生じる、前記レリーズフォーク１の二股の腕部３０、３０の先端面３１、３１と接触する部分の、上下方向に関する変位量δ（図７参照）以上の大きさになっている。この為、前記１対のフォーク当接面３２、３２と前記レリーズフォーク１の二股の腕部３０、３０の先端面３１、３１との接触部で滑りが生じる事を、より有効に抑制できる。
【００２７】
又、本例の場合には、前記アンビル５の側板部２４の軸方向他側面のうち、前記レリーズフォーク１の二股の腕部３０、３０の先端面３１、３１を接触させる部分を、それぞれ凹面（フォーク当接面３２、３２）としている。この為、クラッチの断接を行う際に、前記レリーズフォーク１の二股の腕部３０、３０の先端面３１、３１から加わるラジアル荷重を前記凹面（フォーク当接面３２、３２）で受ける事により、前記フランジ部９に対する前記アンビル５の上下方向の移動を確実に行わせて、前記レリーズフォーク１の二股の腕部３０、３０の先端面３１、３１と前記側板部２４の軸方向他側面（フォーク当接面３２、３２）との接触部で滑りが生じる事を有効に抑制する事ができる。
【００２８】
［実施の形態の第２例］
本発明の実施の形態の第２例に就いて、図１１により説明する。
本例の場合には、軸受保持部材３ａを構成するフランジ部９ａの軸方向他側面に、それぞれが上下方向｛レリーズフォーク１の二股の腕部３０、３０の先端面３１、３１からアンビル５を構成する側板部２４（図２、図７参照）の軸方向他側面に加わるラジアル荷重と同方向｝に伸長する複数の凹溝４５、４５を、左右方向に間隔をあけて（図示の例では等間隔に）設けている。これにより、前記フランジ部９ａの軸方向他側面と前記アンビル５を構成する側板部２４の軸方向片側面との間での上下方向の摺動性を向上させている。これにより、クラッチの断接を行う際に、前記レリーズフォーク１の二股の腕部３０、３０の先端面３１、３１と前記アンビル５を構成する側板部２４の軸方向他側面との接触部で滑りが生じる事を、より有効に抑制できる様にしている。
尚、本発明を実施する場合、上述の様な凹溝４５は、前記フランジ部９ａの軸方向他側面の全範囲ではなく、一部の範囲（例えば、前記アンビル５を構成する側板部２４の軸方向片側面との接触面圧が大きくなる範囲）にのみ設ける事もできる。
その他の構成及び作用は、上述した実施の形態の第１例の場合と同様である。
【００２９】
尚、本発明を実施する場合には、軸受保持部材を構成するフランジ部の軸方向他側面とアンビルの軸方向片側面との間での所定方向（レリーズフォークの先端部から前記アンビル５の軸方向他側面に加わるラジアル荷重と同方向）の摺動性を向上させる為に、前記アンビルの軸方向片側面の全範囲に（又は一部の範囲にのみ）前記所定方向に伸長する複数の溝を設ける構成や、前記軸受保持部材を構成するフランジ部の軸方向他側面と前記アンビルの軸方向片側面とのうちの少なくとも一方の側面に、モリブデン系皮膜、ＤＬＣ皮膜等の摺動性の高いコーティングを施した構成や、前記軸受保持部材を構成するフランジ部の軸方向他側面と前記アンビルの軸方向片側面との間にグリース等の潤滑剤を介在させる構成を採用する事もできる。
【産業上の利用可能性】
【００３０】
本発明は、プルタイプのクラッチ機構に組み込まれるクラッチレリーズ軸受装置に適用する事もできる。
【符号の説明】
【００３１】
１  レリーズフォーク
２  案内軸
３、３ａ  軸受保持部材
４  レリーズ軸受
５  アンビル
６  抑えばね
７  クリップ
８  スリーブ
９、９ａ  フランジ部
１０  保持凹部
１１  第一凸部
１２  第二凸部
１３  逃げ凹部
１４  第一係止突起
１５  第二係止突起
１６  耳部
１７  張出部
１８  傾斜面
１９  凹入部
２０  外輪
２１  内輪
２２  玉
２３  押圧部
２４  側板部
２５  筒状部
２６  第一切り欠き
２７  第二切り欠き
２８  係止片
２９  曲板部
３０  腕部
３１  先端面
３２  フォーク当接面
３３  平板部
３４  隙間
３５  隙間
３６  隙間
３７  隙間
３８ａ、３８ｂ  抑え部
３９  連結部
４０  係止孔
４１  係止切り欠き
４２  第一直線状係合部
４３  第二直線状係合部
４４  第三直線状係合部
４５  凹溝
【図１】
2017155813.tif 000003
【図２】
2017155813.tif 000004
【図３】
2017155813.tif 000005
【図４】
2017155813.tif 000006
【図５】
2017155813.tif 000007
【図６】
2017155813.tif 000008
【図７】
2017155813.tif 000009
【図８】
2017155813.tif 000010
【図９】
2017155813.tif 000011
【図１０】
2017155813.tif 000012
【図１１】
2017155813.tif 000013